(57)【要約】【課題】  高周波リレーにプリント基板や高周波コネクタを備えて構成される高周波切換え装置において、安価で汎用性の高い樹脂筐体を有する高周波リレーを使用可能にする。【解決手段】  高周波リレー３が、接点機構１１にそれを駆動する駆動機構２１が並列に配置されて成り、前記接点機構１１は、シールドボックス１２内に可動接点１３，１４が設けられ、その可動接点が前記駆動機構２１によって変位駆動される駆動部材１８，１９に保持され、固定接点１５，１６，１７と接触／離反することで高周波信号の切換えを行う構成において、前記シールドボックス１２には変位する駆動部材１８，１９との干渉を避けるために切り欠き１２ｅ部分が必要となる。これに対して、本発明では、該高周波切換え装置の金属筐体側に高周波リレー３の接点機構１１を近接配置することで、金属筐体に前記切り欠き１２ｅ部分のシールド機能を持たせ、樹脂筐体の使用を可能にする。【選択図】      図１
2006279205.tif 000002
【特許請求の範囲】
【請求項１】
接点機構に、その接点機構を駆動する駆動機構が並列に配置されて成り、前記接点機構は、シールドボックス内に可動接点が設けられ、その可動接点が前記駆動機構によって変位駆動される駆動部材に保持され、固定接点と接触／離反することで高周波信号の切換えを行う高周波リレーを搭載して成る高周波切換え装置において、
該高周波切換え装置の金属筐体側に、前記高周波リレーの接点機構を近接配置し、前記高周波リレーに樹脂筐体を使用することを特徴とする高周波切換え装置。
【請求項２】
プリント基板に装着された前記シールドボックスのグランド端子と前記金属筐体との間を直結する接続部材をさらに設けることを特徴とする請求項１記載の高周波切換え装置。
【請求項３】
接点機構に、その接点機構を駆動する駆動機構が並列に配置されて成り、前記接点機構は、シールドボックス内に可動接点が設けられ、その可動接点が前記駆動機構によって変位駆動される駆動部材に保持され、固定接点と接触／離反することで高周波信号の切換えを行う高周波リレーを搭載して成る高周波切換え装置において、
前記高周波リレーの接点機構に向けて、該高周波切換え装置の金属筐体を隆起させ、前記高周波リレーに樹脂筐体を使用することを特徴とする高周波切換え装置。
【発明の詳細な説明】
【技術分野】
【０００１】
本発明は、テレビジョン放送の受信信号の切換えなどのために用いられ、高周波リレーを備える高周波切換え装置に関する。
【背景技術】
【０００２】
前記テレビジョン放送の受信信号などのＧＨｚにも及ぶ高周波信号の切換えなどのために用いられ、高周波リレーを備えるとともに、プリント基板や高周波コネクタなどを備えて構成される高周波切換え装置では、個別接点間のアイソレーションが要求され、特にテレビジョン放送の信号を扱う装置では、高アイソレーションが要求される。
【０００３】
そのようなアイソレーションの改善の手法として、高周波リレーの入出力端子周辺を導体で囲むことが一般的である。たとえば、特許文献１には、高周波リレーの上面をシールド金具で覆うことでアイソレーションを確保する衛星切換え装置が示されている。
【特許文献１】特開平１１−４１７６号公報
【発明の開示】
【発明が解決しようとする課題】
【０００４】
上述のような従来技術は、必要な箇所にシールドを設けるという、アイソレーションの改善の極めて一般的な手法で、高周波リレー自体が金属筐体を有する場合、この高周波リレーに対する対策は不要にできる。しかしながら、そのような金属筐体を有する高周波リレーは、高価で、用途も限られている。
【０００５】
本発明の目的は、高周波リレーの構造に着目し、高周波切換え装置に、安価で汎用性の高い樹脂筐体を有する該高周波リレーを使用することができる高周波切換え装置を提供することである。
【課題を解決するための手段】
【０００６】
本発明の高周波切換え装置は、接点機構に、その接点機構を駆動する駆動機構が並列に配置されて成り、前記接点機構は、シールドボックス内に可動接点が設けられ、その可動接点が前記駆動機構によって変位駆動される駆動部材に保持され、固定接点と接触／離反することで高周波信号の切換えを行う高周波リレーを搭載して成る高周波切換え装置において、該高周波切換え装置の金属筐体側に、前記高周波リレーの接点機構を近接配置し、前記高周波リレーに樹脂筐体を使用することを特徴とする。
【０００７】
上記の構成によれば、高周波リレーを備えるとともに、プリント基板や高周波コネクタなどを備えて構成される高周波切換え装置において、前記高周波リレーが、接点機構にそれを駆動する駆動機構が並列に配置されて成り、前記接点機構は、シールドボックス内に可動接点が設けられ、その可動接点が前記駆動機構によって変位駆動される駆動部材に保持され、固定接点と接触／離反することで高周波信号の切換えを行う構成の場合、前記接点機構は前記シールドボックス内に収納されるが、前記シールドボックスには変位する駆動部材との干渉を避けるために切り欠き部分が必要となる。高周波リレーが樹脂筐体を使用している場合、その切り欠き部分によって高周波信号が漏れ、個別接点間のアイソレーションが確保できなくなってしまう。
【０００８】
そこで本発明では、該高周波切換え装置の金属筐体側に、前記高周波リレーの接点機構を近接配置することで、金属筐体に前記切り欠き部分のシールド機能を持たせる。したがって、高周波リレーの構造に着目し、高周波切換え装置に、安価で汎用性の高い樹脂筐体を有する高周波リレーを使用することができる。
【０００９】
また、本発明の高周波切換え装置は、プリント基板に装着された前記シールドボックスのグランド端子と前記金属筐体との間を直結する接続部材をさらに設けることを特徴とする。
【００１０】
上記の構成によれば、上述のように接点機構と駆動機構とが相互に並列に配置されて成る高周波リレーの向きを、接点機構が金属筐体側となるように配置することで、該接点機構と金属筐体とが近接しており、それを利用して、高周波リレーが装着されたプリント基板と前記金属筐体との間に半田ブリッジなどの接続部材を設け、前記シールドボックスのグランド端子と金属筐体とを直結する。
【００１１】
したがって、金属筐体とシールドボックスとの電位差が一層小さくなり、上述したような金属筐体にシールドボックスの切り欠き部分のシールド機能を持たせるにあたって、一層効果を高めることができる。
【００１２】
さらにまた、本発明の高周波切換え装置は、接点機構に、その接点機構を駆動する駆動機構が並列に配置されて成り、前記接点機構は、シールドボックス内に可動接点が設けられ、その可動接点が前記駆動機構によって変位駆動される駆動部材に保持され、固定接点と接触／離反することで高周波信号の切換えを行う高周波リレーを搭載して成る高周波切換え装置において、前記高周波リレーの接点機構に向けて、該高周波切換え装置の金属筐体を隆起させ、前記高周波リレーに樹脂筐体を使用することを特徴とする。
【００１３】
上記の構成によれば、高周波リレーを備えるとともに、プリント基板や高周波コネクタなどを備えて構成される高周波切換え装置において、前記高周波リレーが、接点機構にそれを駆動する駆動機構が並列に配置されて成り、前記接点機構は、シールドボックス内に可動接点が設けられ、その可動接点が前記駆動機構によって変位駆動される駆動部材に保持され、固定接点と接触／離反することで高周波信号の切換えを行う構成の場合、前記接点機構は前記シールドボックス内に収納されるが、前記シールドボックスには変位する駆動部材との干渉を避けるために切り欠き部分が必要となる。高周波リレーが樹脂筐体を使用している場合、その切り欠き部分によって高周波信号が漏れ、個別接点間のアイソレーションが確保できなくなってしまう。
【００１４】
そこで本発明では、切り起しや押し出しなどで、該高周波切換え装置の金属筐体を前記高周波リレーの接点機構に向けて隆起させることで、金属筐体のその隆起部分で前記切り欠き部分のシールド機能を持たせる。したがって、高周波リレーの構造に着目し、高周波切換え装置に、安価で汎用性の高い樹脂筐体を有する高周波リレーを使用することができる。
【発明の効果】
【００１５】
本発明の高周波切換え装置は、以上のように、高周波リレーを備えるとともに、プリント基板や高周波コネクタなどを備えて構成される高周波切換え装置において、前記高周波リレーが、接点機構にそれを駆動する駆動機構が並列に配置されて成り、前記接点機構は、シールドボックス内に可動接点が設けられ、その可動接点が前記駆動機構によって変位駆動される駆動部材に保持され、固定接点と接触／離反することで高周波信号の切換えを行う構成の場合、前記接点機構は前記シールドボックス内に収納されるが、前記シールドボックスには変位する駆動部材との干渉を避けるために切り欠き部分が必要となり、本発明では、該高周波切換え装置の金属筐体側に、前記高周波リレーの接点機構を近接配置することで、金属筐体に前記切り欠き部分のシールド機能を持たせる。
【００１６】
それゆえ、高周波リレーの構造に着目し、高周波切換え装置に、安価で汎用性の高い樹脂筐体を有する高周波リレーを使用することができる。
【００１７】
さらにまた、本発明の高周波切換え装置は、以上のように、高周波リレーを備えるとともに、プリント基板や高周波コネクタなどを備えて構成される高周波切換え装置において、前記高周波リレーが、接点機構にそれを駆動する駆動機構が並列に配置されて成り、前記接点機構は、シールドボックス内に可動接点が設けられ、その可動接点が前記駆動機構によって変位駆動される駆動部材に保持され、固定接点と接触／離反することで高周波信号の切換えを行う構成の場合、前記接点機構は前記シールドボックス内に収納されるが、前記シールドボックスには変位する駆動部材との干渉を避けるために切り欠き部分が必要となり、本発明では、切り起しや押し出しなどで、該高周波切換え装置の金属筐体を前記高周波リレーの接点機構に向けて隆起させることで、金属筐体のその隆起部分で前記切り欠き部分のシールド機能を持たせる。
【００１８】
それゆえ、高周波リレーの構造に着目し、高周波切換え装置に、安価で汎用性の高い樹脂筐体を有する高周波リレーを使用することができる。
【発明を実施するための最良の形態】
【００１９】
［実施の形態１］
図１は、本発明の実施の第１の形態に係る高周波切換え装置１の上蓋を外して示す斜視図である。この高周波切換え装置１は、金属筐体２内に高周波リレー３およびプリント基板４を備えるとともに、金属筐体２に高周波コネクタ５，６，７が取付けられて構成され、テレビジョン放送の受信信号の切換えに用いられる。前記プリント基板４には、必要に応じて、アンプやインピーダンスマッチングのための素子などが設けられる。
【００２０】
この図１の例では、高周波コネクタ５，６はＦ型コネクタであり、高周波コネクタ７はピン型コネクタであり、高周波コネクタ５，６は前記高周波リレー３の個別接点に接続され、高周波コネクタ７は前記高周波リレー３の共通接点に接続される。したがって、前記高周波コネクタ５，６の何れか一方からの入力信号を前記高周波リレー３によって選択して高周波コネクタ７へ出力し、または高周波コネクタ７からの入力信号を前記高周波リレー３によって高周波コネクタ５，６の何れか一方へ出力する。
【００２１】
図２は、高周波リレー３の構造を示す分解斜視図である。この高周波リレー３は、大略的に、接点機構１１に、その接点機構１１を駆動する駆動機構２１が並列に配置されて構成されている。
【００２２】
前記接点機構１１は、シールドボックス１２内に可動接点１３，１４が設けられ、その可動接点１３，１４が前記駆動機構２１によって参照符号Ｘ方向に変位駆動されることで、固定接点１５，１６；１６，１７と接触／離反し、高周波信号の切換えを行う。したがって、前記可動接点１３，１４が中心導体、シールドボックス１２が外部導体とした同軸線路を構成する。前記可動接点１３，１４は、前記駆動機構２１によって変位駆動される駆動部材１８，１９にそれぞれ保持されている。前記各固定接点１５，１６，１７は、図３で拡大して示すシールドボックス１２内で電気的に絶縁されて立設され、前記可動接点１３，１４とは反対側は、ベース２０の裏面から突出して、端子Ｐ１，Ｐ２，Ｐ３となる。
【００２３】
図４に、前記接点機構１１を模式的に示す。中間の固定接点１６（端子Ｐ２）は、前記可動接点１３，１４の何れとも接触できる共通接点となり、前記高周波コネクタ７の中心導体に接続される。一方、両端の固定接点１５，１７（端子Ｐ１，Ｐ３）は、それぞれ前記可動接点１３，１４とだけ接触できる個別接点となり、前記高周波コネクタ５，６の中心導体にそれぞれ接続される。図４の例では、固定接点１５は駆動機構２１の非駆動時に可動接点１３が接触して固定接点１６に接続されるノーマリーオンの接点となり、固定接点１７は駆動機構２１の非駆動時に可動接点１４が離反して固定接点１６から遮断されるノーマリーオフの接点となっている。
【００２４】
前記シールドボックス１２には、図３で示すように、その長手方向の両端および中央位置で、固定接点１５，１６，１７から離反している際の可動接点１３，１４をグランドに接続し、アイソレーションを確保するための固定接点１２ａ，１２ｂ，１２ｃが設けられているとともに、前記各固定接点１５，１６，１７の端子Ｐ１，Ｐ２，Ｐ３間に、グランド端子１２ｄが設けられている。また、シールドボックス１２は、上述のように可動接点１３，１４を収納する関係上、隙間無く、できるだけ大面積に形成されることが望ましいが、前記駆動部材１８，１９との干渉を避けるために、切り欠き１２ｅが形成されている。
【００２５】
前記駆動機構２１は、電磁石２２と変位部材２３とを備えて構成される。電磁石２２は、コイル２４の巻回されたボビン２５内に鉄心２６が挿通されるとともに、その鉄心２６の一方の端部と他方の端部との間に、継鉄２７によって磁路が形成されて構成されている。前記コイル２４の各端部は、外部から励磁電流が与えられる端子２８，２９にそれぞれ接続されている。
【００２６】
一方、前記変位部材２３は、前記駆動部材１８，１９を介して可動接点１３，１４を支持するカード３１と、前記カード３１の一端に設けられる磁石３２と、その磁石３２の両端にそれぞれ接触し、前記鉄心２６の他方の端部を挟み込む一対の接極子３３，３４と、前記カード３１の他端から延びる一対の平衡ばね３５，３６と、その平衡ばね３５，３６の他端を前記ベース２０に取付ける平衡ばね保持板３７とを備えて構成される。したがって、前記電磁石２２が消磁／励磁することで、カード３１は、図５（ａ）および図５（ｂ）で示すように、平衡ばね３５，３６部分が変形して前記Ｘ方向に変位し、前記可動接点１３，１４を変位駆動することができる。
【００２７】
前記ベース２０内に、前記固定接点１５，１６，１７、シールドボックス１２および電磁石２２を収納し、電磁石２２上に変位部材２３を搭載した後、本発明の高周波リレー３では、樹脂筐体３８が被せられる。
【００２８】
上述のように構成される高周波リレー３を用いて、本発明の実施の第１の形態で注目すべきは、図１で示すように、該高周波切換え装置１の金属筐体２内に前記高周波リレー３を収納するにあたって、前記金属筐体２側に、該高周波リレー３の接点機構１１側が近接配置されることである。これによって、金属筐体２に前記シールドボックス１２における切り欠き１２ｅ部分のシールド機能を持たせることができ、高周波切換え装置１に、安価で汎用性の高い樹脂筐体３８を有する該高周波リレー３を使用することができる。
【００２９】
たとえば、金属筐体２と該高周波リレー３との間隔を、３ｍｍとした場合、２１６ＭＨｚまでの信号に、アイソレーション特性は、ノーマリーオン側で７９ｄＢ、ノーマリーオフ側で７７ｄＢであるのに対して、０．２ｍｍとした場合、ノーマリーオン側で９０ｄＢ、ノーマリーオフ側で８５ｄＢにまで改善することができる。
【００３０】
また、本発明の実施の第１の形態で注目すべきは、図６で示すように、プリント基板４に装着された前記シールドボックス１２のグランド端子１２ｄと前記金属筐体２との間を、接続部材である半田ブリッジ３９で直結することである。前記グランド端子１２ｄは、プリント基板４のグランドパターン４０に半田付けされる。図６は、前記高周波リレー３を取付けたプリント基板４を裏面側から見た断面図である。これによって、金属筐体２とシールドボックス１２との電位差が一層小さくなり、上述したような金属筐体２にシールドボックス１２の切り欠き１２ｅ部分のシールド機能を持たせるにあたって、一層効果を高めることができる。
【００３１】
［実施の形態２］
図７および図８は、本発明の実施の第２の形態に係る高周波切換え装置において、高周波リレー３を取付けたプリント基板４を上面側から見た断面図である。前述の第１の実施の形態に類似し、対応する部分には同一の参照符号を付して示し、その説明を省略する。本実施の形態で注目すべきは、前記高周波リレー３の接点機構１１を金属筐体２ａ，２ｂ側に向けるとともに、金属筐体２ａ，２ｂを前記接点機構１１に向けて隆起させることである。
【００３２】
図７の金属筐体２ａでは、押し出しによって凸部４１が形成されており、この凸部４１が接点機構１１に近接し、前記シールドボックス１２の切り欠き１２ｅ部分のシールド機能を持たせることができる。また、図８の金属筐体２ｂでは、切り起しによって凸部４２が形成されており、この凸部４２が接点機構１１に近接し、前記シールドボックス１２の切り欠き１２ｅ部分のシールド機能を持たせることができる。
【００３３】
前記凸部４１，４２は、金属筐体２ａ，２ｂの板金加工の際に形成され、一般のシールド対策のように別部品を設けるのではなく、コストアップはない。このように構成してもまた、高周波切換え装置に、安価で汎用性の高い樹脂筐体３８を有する高周波リレー３８を使用することができる。
【００３４】
上述の説明では、高周波リレーとして３つの接点１６，１６，１７で切換えを行う例を示しているけれども、２つの接点が２組、一直線上に配列され、隣接する接点間を相互に接続して、３接点の切換えを行う構成としてもよい。
【図面の簡単な説明】
【００３５】
【図１】本発明の実施の第１の形態に係る高周波切換え装置の上蓋を外して示す斜視図である。
【図２】高周波リレーの構造を示す分解斜視図である。
【図３】図２で示す高周波リレーにおけるシールドボックスを拡大して示す斜視図である。
【図４】図２で示す高周波リレーにおける接点機構を模式的に示す図である。
【図５】図２で示す高周波リレーにおける変位部材の変位の様子を示す平面図である。
【図６】前記高周波リレーを取付けたプリント基板を裏面側から見た断面図である。
【図７】本発明の実施の第２の形態に係る高周波切換え装置において、高周波リレーを取付けたプリント基板を上面側から見た断面図である。
【図８】本発明の実施の第２の形態に係る高周波切換え装置において、高周波リレーを取付けたプリント基板を上面側から見た断面図である。
【符号の説明】
【００３６】
１    高周波切換え装置
２；２ａ，２ｂ    金属筐体
３    高周波リレー
４    プリント基板
５，６，７    高周波コネクタ
１１    接点機構
１２    シールドボックス
１２ａ，１２ｂ，１２ｃ    固定接点
１２ｄ  グランド端子
１２ｅ  切り欠き
１３，１４    可動接点
１５，１６，１７    固定接点
１８，１９    駆動部材
２０    ベース
２１    駆動機構
２２    電磁石
２３    変位部材
２４    コイル
２５    ボビン
２６    鉄心
２７    継鉄
３１    カード
３２    磁石
３３，３４    接極子
３５，３６    平衡ばね
３８    樹脂筐体
３９    半田ブリッジ
４１，４２    凸部
Ｐ１，Ｐ２，Ｐ３    端子
【図１】
2006279205.tif 000003
【図２】
2006279205.tif 000004
【図３】
2006279205.tif 000005
【図４】
2006279205.tif 000006
【図５】
2006279205.tif 000007
【図６】
2006279205.tif 000008
【図７】
2006279205.tif 000009
【図８】
2006279205.tif 000010